(57)【特許請求の範囲】
【請求項１】
銀行券を一枚ずつ取出す取出し手段と、上記取出された銀行券を搬送する搬送手段と、この搬送手段で搬送される銀行券の券種等を判別する判別手段と、上記判別された銀行券を集積する手段と、上記集積手段により集積された銀行券を所定枚数毎に結束帯により結束する結束手段と、上記結束帯の残量を検出する検出手段と、この検出手段にて結束帯の残量が残り少ないと検出された際に上記集積手段に集積される銀行券の計数値が所定枚数に達した時点で上記取出し手段による取出し動作を停止させる停止手段と、この停止手段による取出し動作の停止後に上記搬送手段のうち上記判別手段による判別が行われていない銀行券をリジェクトする手段と、上記集積手段に集積されている銀行券を上記結束手段にて結束した後に上記結束帯の残量が残り少ない事を報知する手段とを具備したことを特徴とする銀行券処理装置。
【発明の詳細な説明】
【０００１】
【産業上の利用分野】
本発明は銀行券を一枚ずつ取出して券種等の判別・計数を行った後に、銀行券を所定枚数毎に帯で結束する銀行券処理装置に関するものである。
【０００２】
【従来の技術】
従来、この種の銀行券処理装置においては、銀行券を一枚ずつ取出して券種等の判別・計数を行った後に、単位枚数（例えば１００枚）ごとに一時集積し、この一時集積された銀行券を結束帯により結束を行っている。そして、結束帯なしが検知されると装置の動作を停止させて結束帯なしを報告し、操作者に結束帯の交換をうながしている。
【０００３】
操作者が銀行券処理装置の使用を開始する際に既に結束帯なしが検知されている場合には結束動作が不可能であることが判明しており、銀行券処理装置は作動しないためトラブルが生じる事は無い。
【０００４】
結束動作を行っている最中に結束帯なしが検知された際には、結束が行えないため、装置を停止させなければならないが、一時集積部に結束前の銀行券が残留している状態となる。
【０００５】
結束帯の交換時、操作者は結束装置を外部に引出すか、扉を開けて結束帯の交換を行う事が可能であるが、結束装置は一時集積部に隣接しているため、結束前の銀行券が一時集積部に存在する状態で結束帯の交換を行なうと入手が介在する事となり、一時集積部の銀行券の枚数が装置としては保証できなくなってしまう。
【０００６】
【発明が解決しようとする課題】
このため、従来の装置においては一時集積部の銀行券を抜取り、再び計数を行う事により銀行券の枚数を再度確認しているが、操作者においては二度手間となり余分な労力が必要であるという問題があった。
【０００７】
本発明は上記課題を解決するために、銀行券を一枚ずつ取出す取出し手段と、上記取出された銀行券を搬送する搬送手段と、この搬送手段で搬送される銀行券の券種等を判別する判別手段と、上記判別された銀行券を集積する手段と、上記集積手段により集積された銀行券を所定枚数毎に結束帯により結束する結束手段と、上記結束帯の残量を検出する検出手段と、この検出手段にて結束帯の残量が残り少ないと検出された際に上記集積手段に集積される銀行券の計数値が所定枚数に達した時点で上記取出し手段による取出し動作を停止させる停止手段と、この停止手段による取出し動作の停止後に上記搬送手段のうち上記判別手段による判別が行われていない銀行券をリジェクトする手段と、上記集積手段に集積されている銀行券を上記結束手段にて結束した後に上記結束帯の残量が残り少ない事を報知する手段とを具備したものである。
【０００８】
【作用】
結束帯の残量が残り少なくなった事が検出手段に検出された時には所定枚数の銀行券が上記集積手段に集積された時点で上記取出し手段による取り出し動作を停止させるとともに搬送路上にある未判別の銀行券をリジェクトし、かつ、集積手段に集積されている銀行券を上記結束手段にて結束した後に結束帯の残量が残り少ないことを報知するため、集積手段及び搬送路上に結束前の銀行券が存在していない状態で結束帯の交換を行う事が可能となる。
【０００９】
【実施例】
以下、本発明の一実施例について図面を参照して説明する。
【００１０】
図１は、本実施例に係る銀行券処理装置を示すものである。この銀行券処理装置は、大別すると、図示上側に位置する銀行券区分部１と、図示下側に位置する銀行券帯封装置２とから構成されている。銀行券帯封装置２内には、後述する帯封部４が設けられている。
【００１１】
銀行券区分部１は、その前面側に各種の銀行券（紙幣）Ｐを多数枚積層可能な供給部５を有している。供給部５に積層された銀行券Ｐは、その下端側から搬送ローラ６によって順次１枚ずつ搬送路７に取出され、鑑査部８に送り込まれるようになっている。鑑査部８においては、銀行券Ｐの各種情報がセンサによって光学的あるいは磁気的に検出され、その金種や真偽などが判別される。
【００１２】
鑑査部８を通過した銀行券Ｐは、多数のプーリおよびこれらプーリに巻掛けられた複数系統の無端状ベルト１０を備えた搬送手段１１によって搬送される。そして、搬送経路の各分岐部に配設されたゲート１２，１３の切換動作により、所定の方向に振分けられ、金種に応じて区分集積する場合には、銀行券区分部１の上面側に設けられた複数のオープンポケット１４，１５に金種に応じて集積されようになっている。なおオープンポケット１５はリジェフト用のポケットである。
さらに銀行券区分部１の最上段には、表示装置７０が設けられている。この表示装置７０は枚数、金額及び装置の状態等の表示を行なうようになっている。
また、７１は装置の異常時又は、後述する結束帯６５をセットする時に銀行券帯封装置２を引出す時に使用する把手である。
【００１３】
図示しない操作部のスイッチによって指定された金種の銀行券Ｐは、ゲート１２の働きにより、搬送路１７を介して銀行券帯封装置２内の集積機構１８の一時集積部２０に送り込まれ、表裏を揃えた状態で所定枚数分が集積されるようになっている。
【００１４】
集積機構は１８は、たとえば、図２に示すように構成されており、以下、この集積機構１８について説明する。搬送路１７の中途部には、銀行券Ｐの表裏を判別するためのセンサ２２が設けられている。センサ２２を通過して銀行券Ｐは、センサ２２からの信号に応じて方向が制御されるゲート２３を通ることによって、表搬送路３１と裏搬送路３２のいずれか一方に選択的に送り込まれるようになっている。表搬送路３１と裏搬送路３２の各出口部３１ａ、３２ａは、一時集積部２０を挟む状態で互いに対応している。
【００１５】
出口３１ａ、３２ａの近傍には、セバレータ３３、３４を備えた区分手段が設けられているとともに、受台３７が昇降可能に設けられている。受台３７を昇降駆動させるためのバックアップ機構のモータ３８は、銀行券Ｐの集積数に応じて受台３７の高さを変位させる。集積部２０の側壁部分を構成する垂直方向のガイド３９、３９の一方には、ガイド３９に振動を与えるためのカムおよびモータなどからなる整位手段４０が設けられている。
【００１６】
表搬送路３１と裏搬送路３２は左右対象に構成されている。表搬送路３１は、複数個のローラ４１に張り渡されたベルト４２、４３の相互対向部によって構成されている。裏搬送路３２は、複数個のローラ４４に張り渡されたベルト４５、４６の相互対向部によって構成されている。各搬送路３１、３２には、銀行券Ｐの先端を検知するためのセンサ４７、４８が設けられている。センサ４７、４８は、一時集積部２０に送られる銀行券Ｐの枚数をカウントするための計数手段として使われる。
【００１７】
出口部３１ａ、３２ａの近傍にある搬送終端ローラ４１ａ、４４ａは、図示しないベアリングを介して軸５０、５１に回転自在に取り付けられている。軸５０、５１は、駆動源としてのモータによって、図４中の矢印方向に回転させられることにより、セバレータ３３、３４が銀行券Ｐの搬送方向と同じ方向に回転するようになっている。
【００１８】
一時集積部２０の下方には、受台３７に集積された所定枚数の銀行券Ｐを受取ることの可能なキャリア６０が設けられている。キャリア６０は、ガイド６１に沿って、集積部２０から帯封部４（図１参照）に至る間を、図示しない駆動手段によって往復動可能としてある。帯封部４においては、所定枚数分の銀行券Ｐが結束帯６５によって結束されるようになっている。
【００１９】
また、結束帯６５の外周に揩接する結束帯エンド検出用レバー９０が設けられてあり、このレバー９０は一端を固定側に懸架されたバネ９１により常時結束帯６５の外周に押付けられている。結束帯６５の結束帯エンド位置にはリードスイッチ９２が固定され、レバー９０の先端に設けたマグネット９３がリードスイッチ９２に接近し、スイッチオンすることにより結束帯６５の結束帯なしを検知する。またリードスイッチ９２は取付位置が調整できるようになっており、結束帯なしの検知範囲が可変できるようになっている。
【００２０】
帯封部４の下方には結束後の銀行券把Ｐ´を受取る。搬送コンベア６６とこのコンベア６６によって搬送される銀行券把Ｐ´を収容するための収容部６７が設けられている。
【００２１】
次に本装置の制御ブロックについて説明するとＣＰＵ１００は本装置全体を制御するもので鑑査部８は鑑査部インターフェース１０１を介してＣＰＵ１００と接続されている。また搬送路１０を形成する搬送装置１０２は、搬送制御部１０３を介してＣＰＵ１００と接続されている。
【００２２】
各リードスイッチ及びセンサはセンサインターフェース１０４を介してＣＰＵ１００に接続されており、ＣＰＵ１００はこれらのセンサからの情報により、券の搬送制御や装置内の状態を把握する。
表示部４０は表示制御部１０５を介してＣＰＵ１００と接続されている。
つぎに上記構成にもとづく本発明の動作を第４図に示すフローチャートを参照しながら説明する。
【００２３】
まず供給部５にセットされた多数枚の銀行券（Ｐ）は図示しない操作部のスイッチにより指示されて取出しが開始され（ＳＴ１）、鑑査部８にて金種判別、計数が成される（ＳＴ２）。
【００２４】
操作者は操作部にてあらかじめ結束する銀行券の金種を指定しておき、この操作にもとづき把の作成の要否が判定され（ＳＴ３）、指定された金種の銀行券Ｐは銀行券帯封装置２の方へ搬送される。
【００２５】
この際に、ＣＰＵ１００は、センサインターフェース１０４を介して結束帯エンド検知用のリードスイッチ９２がオンしているか否かが確認され（ＳＴ４）、リードスイッチ９２がオンしてなく、結束帯有りであれば計数動作を継続する。
【００２６】
またリードスイッチ９２がオンしていて結束帯無しと判定されると、次にＣＰＵ１００は鑑査部インターフェース１０１を介して鑑査部８から得られた各金種毎の計数値を調べる（ＳＴ５）。
【００２７】
指定された金種の計数値と、計数動作以前に集積部２０に集積されていた計数値の合計が所定枚数（例えば１００枚）となっていなければ計数動作を続行する。
【００２８】
また、あらかじめ指定された金種の計数結果と計数動作以前に集積部２０に集積されていた計数の合計が所定枚数（例えば１００枚）となっていればＣＰＵ１００は搬送制御部１０３を介して取込動作を停止させる（ＳＴ６）。
【００２９】
取込動作が停止した際に、鑑査部８にて金種が判別されている銀行券は、正常に搬送して一時集積部２０に集積され、鑑査部８以前の搬送路７上にあったために金種の判別が行われていない銀行券Ｐはゲート１２の働きにより、リジェクトポケット１６に集積させる（ＳＴ７）。そして正常に搬送された銀行券Ｐは、一時集積部２０に所定枚数（例えば１００枚）丁度で集積され、帯封部４にて結束帯６５により結束される（ＳＴ８）。そしてＣＰＵ１００は搬送制御部１０３を介して搬送装置１０２を停止させ計数動作を終了させる（ＳＴ９）。
【００３０】
次にＣＰＵ１００は、表示制御部１０５を介して表示部４０に結束帯なしの装置の状態を表示装置７０にて表示する（ＳＴ１０）すると装置の操作者は結束帯なしの表示を見て把手７１により銀行券帯封装置２を引出して結束帯６５を交換する（ＳＴ１１）。    この時、集積部２０及び搬送路７上には銀行券Ｐが存在していないため、結束帯６５の交換だけでよい。
【００３１】
結束帯６５の交換が終了し、銀行券帯封装置２が所定の位置に戻されると、ＣＰＵ１００は、センサインターフェース１０４を介して結束帯エンド検知用のリードスイッチ９２がオンしているか否かが確認される。リードスイッチ９２がオンしていなければ、結束帯６５の交換が終了したと判定され、銀行券の取込みモートが駆動されて、銀行券の取込みが開始される。
【００３２】
【発明の効果】
以上詳述したように本発明の銀行券処理装置によれば結束帯なしを報知し、結束帯の交換を促がした際には銀行券Ｐが一時集積部及び搬送路上に存在しないため、操作者は結束帯の交換を行うのみでよく、労力の省力化が可能となる。
【図面の簡単な説明】
【図１】本発明の銀行券処理装置の側断面図
【図２】一時集積部を示す図
【図３】銀行券処理装置の制御ブロック図
【図４】銀行券処理装置の動作を説明するフローチャート
【符号の説明】
１    銀行券区分部
２    銀行券帯封装置
８    鑑査部
２０  一時集積部
７０  表示装置
【図１】
0003558656.tif 000002
【図２】
0003558656.tif 000003
【図３】
0003558656.tif 000004
【図４】
0003558656.tif 000005